(57)【要約】【課題】マルチアクセスによるマルチチャンネル再生によってコンテンツを再生する場合に、再生開始動作の遅延を少なくする。【解決手段】光ディスク１は、通常の記録方法によって、複数の曲データなどの複数のコンテンツデータが記録されたもの、または、一部エリアに各コンテンツデータが記録され、別のエリアに各コンテンツの一部または全部の内容を含む、各コンテンツデータより圧縮された各インデックスデータが記録されたものである。光ディスク１のディスク再生装置１０へのロード時、光ディスク１から、各コンテンツデータの一部または全部のデータを各インデックスデータとして、または各コンテンツデータと別に記録されている各インデックスデータを、光ディスク１から読み取って記憶部５３に書き込む。マルチチャンネル再生の少なくとも再生開始時には、記憶部５３からインデックスデータを読み出して再生する。【選択図】図１
2005174395.tif 000002
【特許請求の範囲】
【請求項１】
複数のコンテンツデータが記録されているディスク媒体からコンテンツを再生する方法であって、
前記ディスク媒体が再生装置にロードされている状態において、前記ディスク媒体から各コンテンツデータの一部または全部のデータを読み取って、それぞれインデックスデータとして再生装置の記憶部に書き込むインデックスデータ準備工程と、
このインデックスデータ準備工程の後において、前記記憶部に記憶されているインデックスデータを、前記記憶部から読み出して再生するインデックスデータ再生工程と、を備えるディスク再生方法。
【請求項２】
請求項１のディスク再生方法において、
前記ディスク媒体は、一部エリアに、各コンテンツデータが記録されているとともに、これと別のエリアに、各コンテンツデータ中の、それぞれ対応するコンテンツの一部または全部の内容を含み、かつ対応するコンテンツデータよりデータ量の少ないインデックスデータが記録されているものであり、
前記インデックスデータ準備工程では、その各インデックスデータを、前記ディスク媒体から読み取って、前記記憶部に書き込むディスク再生方法。
【請求項３】
請求項１または２のディスク再生方法において、
前記インデックスデータ準備工程では、各インデックスデータを、それぞれ前記ディスク媒体から読み取った元のデータに比べて圧縮されたデータとして前記記憶部に書き込むディスク再生方法。
【請求項４】
請求項１〜３のいずれかのディスク再生方法において、
前記ディスク媒体は、これに固有のディスク識別情報が記録されたものであり、
前記インデックスデータ準備工程では、前記ディスク媒体から前記ディスク識別情報を読み取り、その読み取ったディスク識別情報と同一内容のディスク識別情報が前記記憶部に記憶されているか否かを判断して、読み取ったディスク識別情報と同一内容のディスク識別情報が前記記憶部に記憶されていないときには、前記ディスク媒体から各インデックスデータを読み取って、読み取ったディスク識別情報と対応づけて前記記憶部に書き込み、読み取ったディスク識別情報と同一内容のディスク識別情報が前記記憶部に記憶されているときには、前記ディスク媒体から各インデックスデータを読み取ることなくインデックスデータ準備工程を終了するディスク再生方法。
【請求項５】
請求項１〜３のいずれかのディスク再生方法において、
前記ディスク媒体は、その記録内容の同一性を判断できる情報が記録されたものであり、
前記インデックスデータ準備工程では、前記ディスク媒体から前記同一性判断情報を読み取り、その読み取った同一性判断情報と同一内容の同一性判断情報が前記記憶部に記憶されているか否かを判断して、読み取った同一性判断情報と同一内容の同一性判断情報が前記記憶部に記憶されていないときには、前記ディスク媒体から各インデックスデータを読み取って、読み取った同一性判断情報と対応づけて前記記憶部に書き込み、読み取った同一性判断情報と同一内容の同一性判断情報が前記記憶部に記憶されているときには、前記ディスク媒体から各インデックスデータを読み取ることなくインデックスデータ準備工程を終了するディスク再生方法。
【請求項６】
請求項１〜５のいずれかのディスク再生方法において、
前記インデックスデータ再生工程でインデックスデータの一部または全部を再生した後、そのインデックスデータに対応するコンテンツデータ、または他のコンテンツデータを、前記ディスク媒体から読み取って再生するディスク再生方法。
【請求項７】
複数のコンテンツデータが記録されているディスク媒体からコンテンツを再生する装置であって、
前記ディスク媒体にチャンネルごとにアクセスして、前記ディスク媒体から各チャンネルのデータを読み取るメカデッキ部と、
その読み取られた各チャンネルのデータを、チャンネルごとにバッファメモリに蓄積し、バッファメモリから読み出す再生処理部と、
前記メカデッキ部および前記再生処理部を制御する制御部とを備え、
その制御部は、前記ディスク媒体が当該の再生装置にロードされている状態において、前記ディスク媒体から、各コンテンツデータの一部または全部のデータを読み取って、それぞれインデックスデータとして記憶部に書き込むインデックスデータ準備工程と、このインデックスデータ準備工程の後において、前記記憶部に記憶されているインデックスデータを、前記記憶部から読み出して再生するインデックスデータ再生工程とを実行するディスク再生装置。
【請求項８】
請求項７のディスク再生装置において、
前記ディスク媒体は、一部エリアに、各コンテンツデータが記録されているとともに、これと別のエリアに、各コンテンツデータ中の、それぞれ対応するコンテンツの一部または全部の内容を含み、かつ対応するコンテンツデータよりデータ量の少ないインデックスデータが記録されているものであり、
前記制御部は、前記インデックスデータ準備工程で、前記ディスク媒体から前記各インデックスデータを読み取って前記記憶部に書き込むディスク再生装置。
【請求項９】
請求項７または８のディスク再生装置と、その前記再生処理部から得られた再生出力を受信する端末とからなるディスク再生システム。
【発明の詳細な説明】
【技術分野】
【０００１】
この発明は、ディスク媒体から、これに記録されている曲や映像タイトルなどのコンテンツを再生する方法および装置、および、そのディスク再生装置を備えるディスク再生システムに関する。
【背景技術】
【０００２】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク、Ｍｉｎｉ−Ｄｉｓｃ（登録商標）などの光磁気ディスク、または磁気ディスクなどのディスク媒体は、ランダムアクセスおよびマルチアクセスが可能である。
【０００３】
特許文献１（特開平１０−２９３９９０号公報）には、マルチアクセスを、ディスク媒体の異なる領域に対して同時に記録や再生を行うこととして、ハードディスクのある領域にデータを書き込む処理と別の領域からデータを読み出す処理とを同時に行うことが示されている。
【０００４】
また、特許文献２（特開２０００−２７８６４７号公報）には、複数のハードディスクを備えるマルチチャンネルＡＶ（Ａｕｄｉｏ  Ｖｉｓｕａｌ）サーバにおいて、画像再生要求があったとき、要求のあった再生速度に対応した部分の画像データを読み出して、バッファメモリに記憶し、バッファメモリから読み出して、再生画像を構成することによって、再生速度の変更が要求された場合に、その要求に即座に応じることが示されている。
【０００５】
しかし、このような記録と再生を同時に行うマルチアクセスや、複数のハードディスクを用いるマルチチャンネル化ではなく、複数のユーザが、多数の曲や映像タイトルが収録された１枚のディスク媒体に同時にアクセスして、各自の希望する曲や映像タイトルを再生し、鑑賞することが考えられる。
【０００６】
具体的に、この場合、ユーザＵ１，Ｕ２，Ｕ３が、それぞれ曲Ｍ１，Ｍ２，Ｍ３を聴こうとして、１枚のディスク媒体に同時にアクセスした場合、ディスク再生装置では、図９に示すように、まず、読み取りヘッド４をディスク媒体２上の曲Ｍ１の先頭位置に移動させ、曲Ｍ１の最初の部分Ｍ１ａのデータを読み取って、当該チャンネルのバッファメモリ４５１に書き込む。
【０００７】
次に、矢印Ｓ１２で示すように、読み取りヘッド４を曲Ｍ２の先頭位置まで移動させ、曲Ｍ２の最初の部分Ｍ２ａのデータを読み取って、当該チャンネルのバッファメモリ４５２に書き込み、次に、矢印Ｓ２３で示すように、読み取りヘッド４を曲Ｍ３の先頭位置まで移動させ、曲Ｍ３の最初の部分Ｍ３ａのデータを読み取って、当該チャンネルのバッファメモリ４５３に書き込む。次に、曲Ｍ１に戻って、読み取りヘッド４を曲Ｍ１の次の部分Ｍ１ｂに移動させ、その部分Ｍ１ｂのデータを読み取って、バッファメモリ４５１に書き込む。以後、同様である。
【０００８】
図１０（同図の「ｃｈ」はチャンネル、「シーク」は読み取りヘッド４のディスク径方向への移動である）に示すように、バッファメモリ４５１，４５２，４５３に蓄積されたデータは、それぞれバッファメモリ４５１，４５２，４５３への転送レートより低いレートで、バッファメモリ４５１，４５２，４５３から読み出され、デコーダ４７１，４７２，４７３でデコードされる。これによって、各チャンネルの出力ＰＢ１，ＰＢ２，ＰＢ３として曲Ｍ１，Ｍ２，Ｍ３を、それぞれ連続して再生することができる。
【０００９】
なお、特許文献３（特開平７−３２５９０４号公報）には、ディスク媒体に静止画のファイルデータを書き込む際に、複数のファイルデータから１画面を構成するインデックスアイコンデータを生成して、同一のディスク媒体に記録することによって、希望するファイルデータを検索するためのアイコンをディスプレイ上に迅速に表示できるようにすることが示されている。
【００１０】
上に挙げた先行技術文献は、以下の通りである。
【特許文献１】特開平１０−２９３９９０号公報
【特許文献２】特開２０００−２７８６４７号公報
【特許文献３】特開平７−３２５９０４号公報
【発明の開示】
【発明が解決しようとする課題】
【００１１】
しかしながら、上述したようなマルチアクセスによるマルチチャンネル再生では、アクセス開始（再生開始）時、再生出力が得られるまでに時間がかかる。
【００１２】
具体的に、図９および図１０の例で、ユーザＵ１，Ｕ２，Ｕ３のコマンドが、それぞれ時点ｔ１，ｔ２，ｔ３で、ほぼ同時に受け付けられた場合、最後の曲Ｍ３の再生出力ＰＢ３が得られるまでに、時点ｔ３から、読み取りヘッド４が曲Ｍ１の先頭位置に移動する時間、曲Ｍ１の最初の部分Ｍ１ａのデータを読み取る時間、そこから曲Ｍ２の先頭位置に移動する時間、曲Ｍ２の最初の部分Ｍ２ａのデータを読み取る時間、そこから曲Ｍ３の先頭位置に移動する時間、および曲Ｍ３の最初の部分Ｍ３ａのデータを読み取る時間を加えた時間を要する。アクセスチャンネル数が、より多い場合には、より長い時間がかかる。
【００１３】
そこで、この発明は、ディスク媒体から、これに記録されている曲や映像タイトルなどのコンテンツを再生する方法において、マルチアクセスによるマルチチャンネル再生によってコンテンツを再生する場合に、再生開始動作の遅延を少なくすることができるようにしたものである。
【課題を解決するための手段】
【００１４】
この発明のディスク再生方法は、
複数のコンテンツデータが記録されているディスク媒体からコンテンツを再生する方法であって、
前記ディスク媒体が再生装置にロードされている状態において、前記ディスク媒体から各コンテンツデータの一部または全部のデータを読み取って、それぞれインデックスデータとして再生装置の記憶部に書き込むインデックスデータ準備工程と、
このインデックスデータ準備工程の後において、前記記憶部に記憶されているインデックスデータを、前記記憶部から読み出して再生するインデックスデータ再生工程と、を備えるものである。
【００１５】
この場合、ディスク媒体は、一部エリアに、各コンテンツデータが記録されているとともに、これと別のエリアに、各コンテンツデータ中の、それぞれ対応するコンテンツの一部または全部の内容を含み、かつ対応するコンテンツデータよりデータ量の少ないインデックスデータが記録されているものでもよく、その場合には、前記インデックスデータ準備工程では、その各インデックスデータを、前記ディスク媒体から読み取って前記記憶部に書き込む。
【００１６】
上記の構成の、この発明のディスク再生方法では、ディスク媒体の再生装置へのロード時などにおいて、インデックスデータ準備工程として、ディスク媒体から各コンテンツデータの一部または全部のデータを読み取って、それぞれインデックスデータとして再生装置の記憶部に書き込んでおき、マルチアクセスによるマルチチャンネル再生の開始時には、その記憶部に記憶されているインデックスデータを記憶部から読み出して再生することによって、マルチチャンネル再生の開始時、ディスク媒体からのデータの読み取り、および読み取りヘッドのディスク径方向への移動が不要となり、再生開始動作の遅延を少なくすることができる。
【発明の効果】
【００１７】
以上のように、この発明のディスク再生方法によれば、マルチアクセスによるマルチチャンネル再生によってコンテンツを再生する場合に、再生開始動作の遅延を少なくすることができる。
【発明を実施するための最良の形態】
【００１８】
〔再生装置および再生方法の実施形態：図１〜図７〕
（再生装置の実施形態とディスク媒体の記録方法：図１〜図４）
図１は、この発明のディスク再生装置の一例を示し、マルチアクセスによるマルチチャンネル再生が可能なものである。
【００１９】
光ディスク１は、以下のような方法によって、複数の曲や映像タイトルなどの、複数のコンテンツのデータが記録されたものである。
【００２０】
図２は、その記録方法の一例を示し、複数のコンテンツデータごとに１セッションを設定し、１枚の光ディスク１に複数セッションを設定する場合である。セッションとは、リードイン（データの始まりを示す部分）、データ本体、およびリードアウト（データの終わりを示す部分）からなる一連のデータのかたまりである。
【００２１】
具体的に、光ディスク１は、例えばＤＶＤで、その内端１ａ近傍から外端１ｂ近傍までの記録可能エリア１ｒ内において、最内周部にテーブル記録エリアＡｕを設定し、その外側にセッション記録エリアＡｓを設定する。
【００２２】
図３に図２中の部分３を拡大して示すように、セッション記録エリアＡｓには、セッションごとに、最初（最も内側）にリードインＲｉ１，Ｒｉ２…を、そのあと（外側）のデータエリアＳ１，Ｓ２…にコンテンツデータを、最後（最も外側）にリードアウトＲｏ１，Ｒｏ２…を、それぞれ記録する。以下、この方法を通常の記録方法と称する。
【００２３】
データエリアＳ１，Ｓ２…のコンテンツデータは、それぞれ複数のコンテンツデータを含むものであり、その各コンテンツデータは、各曲や各映像タイトルなどの各コンテンツの、ＰＣＭ（Ｐｕｌｓｅ  Ｃｏｄｅ  Ｍｏｄｕｌａｔｉｏｎ）データのような圧縮されていないデータ、またはＭＰ３（ＭＰＥＧ−１  Ａｕｄｉｏ  Ｌａｙｅｒ−３）やＭＰＥＧ−２などの圧縮方式によって圧縮されたデータである。
【００２４】
リードインＲｉ１，Ｒｉ２…には、ＣＤにおけるＴＯＣ（Ｔａｂｌｅ  Ｏｆ  Ｃｏｎｔｅｎｔｓ）のようなコンテンツテーブルを、セッションごとに分散させて記載する。
【００２５】
最内周部のテーブル記録エリアＡｕには、セッション情報として、セッション記録エリアＡｓに記録されるセッションの数、番号、各セッションのリードインおよびリードアウトの光ディスク１上のアドレスなどを記録する。
【００２６】
このセッション情報は、後述のようなインデックスデータ準備工程において、図１のディスク再生装置１０にロードされた記録後の当該の光ディスク１が過去のロード時に対して再編集されているか否かを判断するための情報として用いることができる。
【００２７】
また、テーブル記録エリアＡｕには、ユーザによって定められるディスクＩＤ、すなわち、個々のディスク媒体に固有の、個々のディスク媒体を識別できる情報を記録する。
【００２８】
このディスクＩＤは、後述のようなインデックスデータ準備工程において、図１のディスク再生装置１０にロードされた記録後の当該の光ディスク１が過去にロードされたことがあるか否かを判断するための情報として用いる。
【００２９】
図４に図２中の部分３を拡大して示すように、セッション記録エリアＡｓに、セッションごとに、最初（最も内側）にリードインＲｉ１，Ｒｉ２…を、その直後（すぐ外側）にインデックスデータＩ１，Ｉ２…を、そのあと（外側）のデータエリアＳ１，Ｓ２…にコンテンツデータを、最後（最も外側）にリードアウトＲｏ１，Ｒｏ２…を、それぞれ記録するようにしてもよい。以下、この方法をインデックスデータ別途記録方法と称する。
【００３０】
この場合、インデックスデータＩ１，Ｉ２…は、それぞれ、そのセッションのデータエリアＳ１，Ｓ２…に記録される複数のコンテンツデータに対応する複数のインデックスデータからなるものとし、各インデックスデータは、各コンテンツデータ中の、それぞれ対応するコンテンツの一部または全部の内容を含むものとするが、対応するコンテンツデータよりデータ量の少ないデータとする。
【００３１】
具体的に、この場合のコンテンツデータとインデックスデータの組み合わせとしては、
（１）コンテンツデータが低圧縮率で圧縮されたデータ、インデックスデータがコンテンツの一部の内容のみを含む高圧縮率で圧縮されたデータ、
（２）コンテンツデータが低圧縮率で圧縮されたデータ、インデックスデータがコンテンツの全部の内容を含む高圧縮率で圧縮されたデータ、
（３）コンテンツデータが圧縮されたデータ、インデックスデータがコンテンツの一部の内容のみを含む、コンテンツデータと同じ圧縮率で圧縮されたデータ、
（４）コンテンツデータが圧縮されていないデータ、インデックスデータがコンテンツの一部の内容のみを含む圧縮されたデータ、
（５）コンテンツデータが圧縮されていないデータ、インデックスデータがコンテンツの全部の内容を含む圧縮されたデータ、
（６）コンテンツデータが圧縮されていないデータ、インデックスデータがコンテンツの一部の内容のみを含む圧縮されていないデータ、
の各場合を含む。
【００３２】
ただし、インデックスデータは、データ量をより少なくして、インデックスデータの記録エリアをより縮小し、光ディスク１から読み取るのに要する時間をより短縮するために、圧縮することが望ましく、しかも、できるだけ高い圧縮率で圧縮することが望ましい。特に、インデックスデータをコンテンツの全部の内容を含むものとする場合には、高い圧縮率で圧縮することが望ましい。
【００３３】
（１）（３）（４）（６）の場合、インデックスデータの内容の、コンテンツの一部は、曲や映像タイトルの先頭部、または特徴的な部分とする。特徴的な部分とは、コンテンツが曲の場合には、曲のサビの部分や、曲名が分かるような部分であり、コンテンツが映像タイトルの場合にも、同様の部分である。
【００３４】
図１のディスク再生装置１０のメカデッキ部３０では、上記のようにデータが記録された光ディスク１が、スピンドルモータ３１によって回転駆動される。読み取り用の光ヘッド３３は、スレッド３５に取り付けられ、スレッドモータ３６によって、スレッド軸３７に沿って、光ディスク１の径方向に移動させられる。
【００３５】
光ヘッド３３の読み取り出力は、ＲＦアンプ４１に供給されて、ＲＦアンプ４１から、フォーカスエラー信号、トラッキングエラー信号、および記録データが得られる。
【００３６】
そのフォーカスエラー信号およびトラッキングエラー信号は、サーボコントローラ３９に供給され、サーボコントローラ３９からのフォーカスサーボ制御信号およびトラッキングサーボ制御信号によって、光ヘッド３３のフォーカシングおよびトラッキングが制御される。記録データは、復調エラー訂正回路４２で、復調され、エラー訂正される。
【００３７】
記録データとしては、図３の通常の記録方法によって光ディスク１にデータが記録されている場合には、ディスクＩＤ、セッション情報および各コンテンツデータなどが得られ、図４のインデックスデータ別途記録方法によって光ディスク１にデータが記録されている場合には、これらに加えて各インデックスデータが得られる。
【００３８】
そして、例えば、光ディスク１のディスク再生装置１０へのロード時には、そのうちのディスクＩＤおよびセッション情報が、光ディスク１から読み取られて、システムコントローラ５１に取り込まれ、後述のインデックスデータ準備処理に供される。
【００３９】
そして、インデックスデータ準備処理によって、ロードされた光ディスク１は過去にロードされていないと判断されたとき、または、過去にロードされているが、過去のロード時に対して再編集されていると判断されたときには、さらに、図３の通常の記録方法によって光ディスク１にデータが記録されている場合には、光ディスク１から各コンテンツデータの一部または全部のデータが、それぞれインデックスデータとして読み取られて、不揮発性メモリからなる記憶部５３に書き込まれ、図４のインデックスデータ別途記録方法によって光ディスク１にデータが記録されている場合には、光ディスク１から各インデックスデータが読み取られて、記憶部５３に書き込まれる。
【００４０】
インデックスデータ準備処理によって、ロードされた当該の光ディスク１が過去にロードされたものであり、かつ過去のロード時に対して再編集されていないと判断されたときには、光ディスク１から記憶部５３に再度、同じデータが読み込まれることなく、インデックスデータとして、すでに記憶部５３に記憶されているデータが、記憶部５３から読み出される。これによって、ロード時などにおけるインデックスデータの無駄な再読み込みを防止することができ、インデックスデータを準備する時間を短縮することができる。
【００４１】
マルチアクセスによるマルチチャンネル再生時には、この記憶部５３から読み出されたインデックスデータ、および後述のように光ディスク１から読み取られたコンテンツデータが、チャンネル分割回路４３で、最大ｎチャンネルの範囲内で、そのときの光ディスク１へのアクセスチャンネル数分に分割される。
【００４２】
分割された各チャンネルのインデックスデータおよびコンテンツデータは、バッファメモリ４５１，４５２，４５３…４５ｎに蓄積された後、バッファメモリ４５１，４５２，４５３…４５ｎから読み出され、デコーダ４７１，４７２，４７３…４７ｎでデコードされて、最大ｎチャンネルの再生出力ＰＢ１，ＰＢ２，ＰＢ３…ＰＢｎが得られる。
【００４３】
バッファメモリ４５１，４５２，４５３…４５ｎとしては、あらかじめｎチャンネル分が用意され、または、ＤＲＡＭ（Ｄｙｎａｍｉｃ  ＲＡＭ）などのメモリ上に、そのときのアクセスチャンネル数分のバッファメモリが設定される。
【００４４】
もちろん、インデックスデータおよびコンテンツデータの、バッファメモリ４５１，４５２，４５３…４５ｎからの読み出し、およびデコーダ４７１，４７２，４７３…４７ｎでのデコードは、記憶部５３からの読み出し、光ディスク１からの読み取り、およびバッファメモリ４５１，４５２，４５３への転送および蓄積より低いビットレートで実行される。
【００４５】
システムコントローラ５１は、コンピュータによって構成され、図では省略するが、ＣＰＵ、このＣＰＵが実行する後述のシステム処理ルーチンやインデックスデータ準備処理ルーチンを含む各種プログラムや各種のデータが格納されたＲＯＭなどの記憶装置部、およびプログラムやデータが展開されるＲＡＭなどを備える。記憶部５３は、上記の記憶装置部の一部として構成することができる。
【００４６】
システムコントローラ５１には、操作部５５および表示部５７が接続される。この例では、操作部５５は、光ディスク１への各チャンネルのアクセスのための操作を含む各種の操作を行うもので、操作部５５からシステムコントローラ５１には、最大ｎチャンネルのアクセス操作に応じたコマンドＣＭ１，ＣＭ２，ＣＭ３…ＣＭｎが与えられ、システムコントローラ５１は、そのコマンドＣＭ１，ＣＭ２，ＣＭ３…ＣＭｎに従ってアクセス制御を実行する。
【００４７】
（再生方法の実施形態：図５〜図７）
図５および図６は、システムコントローラ５１が実行するシステム処理ルーチンの一例を示し、コンテンツデータが曲データであり、光ディスク１からインデックスデータとして曲先頭部のデータを読み取って記憶部５３に書き込み、そのインデックスデータの再生後は、同じ曲の後続部分に接続して、または同じ曲の先頭に戻って、対応するコンテンツデータを光ディスク１から読み取って再生する場合である。
【００４８】
この例のシステム処理ルーチン３３０では、システム起動によってシステム処理を開始して、まずステップ３３１で、光ディスク１がロードされたか否かを判断し、ロードされたと判断したときには、インデックスデータ準備処理ルーチン３５０に進む。
【００４９】
図７に示すように、インデックスデータ準備処理ルーチン３５０では、まずステップ３５１で、光ディスク１からディスクＩＤおよびセッション情報を読み取り、次にステップ３５２で、その読み取ったディスクＩＤと同一内容のディスクＩＤが記憶部５３に記憶されているか否かを判断する。
【００５０】
そして、光ディスク１から読み取ったディスクＩＤと同一内容のディスクＩＤが記憶部５３に記憶されていない場合には、当該の光ディスク１は初めてロードされた（過去にロードされていない）と判断して、ステップ３５２からステップ３５４に進んで、その読み取ったディスクＩＤを記憶部５３に書き込み、次にステップ３５５で、光ディスク１から読み取ったセッション情報を記憶部５３に書き込んだ上で、ステップ３５６に進んで、光ディスク１から各インデックスデータを読み取って、ディスクＩＤおよびセッション情報とワンセットにして記憶部５３に書き込む。
【００５１】
この場合の、光ディスク１から各インデックスデータとして読み取るデータは、図３の通常の記録方法によって光ディスク１にデータが記録されている場合には、各コンテンツデータの一部または全部のデータ、例えば上述した各曲の先頭部のデータであり、図４のインデックスデータ別途記録方法によって光ディスク１にデータが記録されている場合には、各インデックスデータとして各コンテンツデータとは別に記録されているデータ、例えば上述した各曲の先頭部のデータである。
【００５２】
この場合、各インデックスデータは、それぞれ光ディスク１から読み取った元のデータに比べて圧縮して、記憶部５３に書き込むことが望ましい。これによって、マルチアクセスによるマルチチャンネル再生時、記憶部５３からインデックスデータを高速に読み出すことができ、再生開始動作の遅延をより少なくすることができる。
【００５３】
図７のインデックスデータ準備処理ルーチン３５０では、光ディスク１から読み取ったディスクＩＤと同一内容のディスクＩＤが記憶部５３に記憶されている場合には、当該の光ディスク１は過去にロードされていると判断して、ステップ３５２からステップ３５３に進んで、光ディスク１から読み取ったセッション情報が、記憶部５３に記憶されている対応するセッション情報と同一であるか否かを判断する。
【００５４】
そして、光ディスク１から読み取ったセッション情報が、記憶部５３に記憶されている対応するセッション情報と異なる場合には、当該の光ディスク１は再編集されていると判断して、ステップ３５３からステップ３５５に進んで、光ディスク１から読み取ったセッション情報を記憶部５３に書き込んだ上で、ステップ３５６に進んで、光ディスク１から各インデックスデータを読み取って、記憶部５３に書き込む。すなわち、この場合、記憶部５３に記憶されているセッション情報および各インデックスデータを、そのとき光ディスク１から読み取ったセッション情報および各インデックスデータによって書き替える。
【００５５】
この場合の、光ディスク１から各インデックスデータとして読み取るデータも、図３の通常の記録方法によって光ディスク１にデータが記録されている場合には、各コンテンツデータの一部または全部のデータ、例えば上述した各曲の先頭部のデータであり、図４のインデックスデータ別途記録方法によって光ディスク１にデータが記録されている場合には、各インデックスデータとして各コンテンツデータとは別に記録されているデータ、例えば上述した各曲の先頭部のデータである。
【００５６】
また、この場合も、各インデックスデータは、それぞれ光ディスク１から読み取った元のデータに比べて圧縮して、記憶部５３に書き込むことが望ましい。
【００５７】
図７のインデックスデータ準備処理ルーチン３５０では、光ディスク１から読み取ったセッション情報が、記憶部５３に記憶されている対応するセッション情報と同一の場合には、当該の光ディスク１は過去にロードされていて、かつ過去のロード時に対して再編集されていないと判断して、そのままインデックスデータ準備処理を終了する。
【００５８】
図５および図６のシステム処理ルーチン３３０では、以上のようなインデックスデータ準備処理の実行後、ステップ３３２に進んで、操作入力があるか否かを判断する。
【００５９】
ここでの操作入力は、（ａ）頭出し再生や通常再生など、ユーザによる再生操作、（ｂ）一時停止や再生停止など、ユーザによるシステム終了以外の停止操作、（ｃ）ユーザによるディスク再生装置１０の電源の遮断など、システム終了となる事由の発生、に大別される。
【００６０】
これらのうちの、いずれかの操作入力があったときには、ステップ３３２からステップ３３３に進んで、その操作入力が再生操作であるか否かを判断し、再生操作でなければ、さらにステップ３３４に進んで、操作入力がシステム終了か否かを判断する。
【００６１】
そして、操作入力がシステム終了であれば、システム処理を終了し、操作入力がシステム終了でなければ、すなわち停止操作であれば、ステップ３３４からステップ３３５に進んで、停止操作に応じた処理を行って、ステップ３３２の操作入力待ち状態に戻る。
【００６２】
ステップ３３３で、再生操作の操作入力があったと判断したときには、ステップ３３６に進んで、記憶部５３から、指定されたコンテンツに対応するインデックスデータを読み出して、チャンネル分割回路４３に転送し、上述したように再生する。
【００６３】
さらに、インデックスデータの再生中、ステップ３３７で、操作入力があるか否かを判断し、操作入力がなければ、ステップ３３８に進んで、当該のインデックスデータが終了するか否かを判断し、終了しなければ、ステップ３３６に戻って、当該のインデックスデータの読み出し再生を続行する。
【００６４】
当該のインデックスデータが終了するまでの間に操作入力があったときには、ステップ３３７からステップ３３３に戻って、上述したように、いずれの操作入力であるかを判断し、操作入力に応じた処理を行う。
【００６５】
当該のインデックスデータが終了するまでの間に操作入力がなければ、ステップ３３８からステップ３４１に進んで、光ディスク１から、当該のインデックスデータに対応するコンテンツデータを読み取って、チャンネル分割回路４３に転送し、上述したように再生する。
【００６６】
コンテンツデータの再生中も、ステップ３４２で、操作入力があるか否かを判断し、操作入力がなければ、ステップ３４３に進んで、当該のコンテンツデータが終了するか否かを判断し、終了しなければ、ステップ３４１に戻って、当該のコンテンツデータの読み取り再生を続行する。
【００６７】
そして、当該のコンテンツデータが終了するまでの間に操作入力がなければ、ステップ３４３から、ステップ３３２の操作入力待ち状態に戻る。
【００６８】
以上は、再生操作および停止操作が１チャンネルの場合であるが、マルチアクセスによるマルチチャンネル再生時には、再生操作および停止操作につき、チャンネルごとに以上の再生処理が実行される。したがって、上述したように、マルチアクセスによるマルチチャンネル再生時、再生開始動作の遅延を少なくすることができる。
【００６９】
〔再生システムの実施形態：図８〕
図８は、この発明のディスク再生システムの一例を示し、車載用の音楽再生システムとして、図１に示したようなディスク再生装置１０および各チャンネル（各ユーザ用）の音声出力装置１０１，１０２，１０３…１０ｎを設け、ディスク再生装置１０では、光ディスク１に記録されている音楽（各曲）を再生して、その再生出力ＰＢ１，ＰＢ２，ＰＢ３…ＰＢｎを、それぞれケーブル９によって音声出力装置１０１，１０２，１０３…１０ｎに伝送するとともに、光ディスク１への各チャンネルのアクセスのための操作を、ディスク再生装置１０で一括して行う場合である。
【００７０】
ディスク再生装置１０のメカデッキ部３０は、図１に示したように、光ディスク１を回転させ、光ヘッド３３をディスク径方向に移動させて、光ディスク１に記録されているデータを読み取る機構部であり、再生処理部４０は、図１に示したＲＦアンプ４１、復調エラー訂正回路４２、チャンネル分割回路４３、バッファメモリ４５１，４５２，４５３…４５ｎ、およびデコーダ４７１，４７２，４７３…４７ｎによって構成される。ディスク再生装置１０は、車の前方座席の前方部などに設置される。
【００７１】
音声出力装置１０１は、車の前方座席で音楽を聞くユーザのためのもので、再生出力ＰＢ１を左右のアナログ音声信号に変換して、左右のスピーカ１１３Ｌ，１１３Ｒに供給するものである。スピーカ１１３Ｌ，１１３Ｒは、例えば、前方座席の左右位置に設けられる。
【００７２】
音声出力装置１０２，１０３…１０ｎは、それぞれ車の後部座席で音楽を聞くユーザのためのもので、再生出力ＰＢ２，ＰＢ３…ＰＢｎを左右のアナログ音声信号に変換して、左右の音声出力端子１１７Ｌ，１１７Ｒに出力するものである。したがって、それぞれのユーザは、音声出力端子１１７Ｌ，１１７Ｒにヘッドホン１１８を接続することによって、再生出力ＰＢ２，ＰＢ３…ＰＢｎの音楽を聞くことができる。
【００７３】
この例によれば、車内の各ユーザは、例えば、助手席のユーザによる操作部５５での操作によって、ディスク再生装置１０のシステムコントローラ５１に対して、希望する曲を指定して、その曲の頭出し再生や通常再生などを指示し、再生開始がそれほど遅れることなく、曲を聴くことができる。
【００７４】
なお、図１に示したデコーダ４７１，４７２，４７３…４７ｎは、ディスク再生装置１０側ではなく、音声出力装置１０１，１０２，１０３…１０ｎ側に設けてもよい。
【００７５】
ディスク再生システムとしては、そのほか、例えば、住居内で用いられるシステムとして、ディスク再生装置１０および各チャンネル（各ユーザ用）の映像音声出力装置を設け、ディスク再生装置１０では、光ディスク１に記録されている映像タイトル（映像および音声）を再生して、その再生出力を各チャンネルの映像音声出力装置に送信するとともに、光ディスク１への各チャンネルのアクセスのための操作を各ユーザが映像音声出力装置側で個別に行い、その操作によるコマンドを映像音声出力装置からディスク再生装置１０のシステムコントローラ５１に送信するシステム構成とすることもできる。
【００７６】
〔他の実施形態〕
インデックスデータの準備、すなわち光ディスク１から記憶部５３への各インデックスデータの読み込みは、光ディスク１のディスク再生装置１０へのロード時（ロード直後）ではなく、光ディスク１がディスク再生装置１０にロードされている状態で、光ディスク１へのアクセスがないときや、光ディスク１の再生中の合間などに、システムコントローラ５１が、制御プログラムに従って実行するようにしてもよい。
【００７７】
また、セッション情報が、光ディスク１から読み取られた情報と、すでに記憶部５３に記憶されている情報との間で、同一内容であれば、両者は同一の光ディスクに記録されたものである可能性が高い。
【００７８】
したがって、インデックスデータ準備処理ルーチンとしては、ディスクＩＤを利用することなく、光ディスク１から読み取ったセッション情報と同一内容のセッション情報が記憶部５３に記憶されていない場合には、当該の光ディスク１は過去にロードされていないと判断して、当該の光ディスク１から各インデックスデータを読み取って、読み取ったセッション情報と対応づけて記憶部５３に書き込み、当該の光ディスク１から読み取ったセッション情報と同一内容のセッション情報が記憶部５３に記憶されている場合には、当該の光ディスク１は過去にロードされたものであり、かつ過去のロード時に対して再編集されていないと判断して、そのままインデックスデータ準備処理を終了するように構成することもできる。
【００７９】
また、再生する光ディスク１が、一度、コンテンツを編集記録した後は、再編集しないようなものである場合には、インデックスデータ準備処理ルーチンとしては、セッション情報につき判断することなく、当該の光ディスク１から読み取ったディスクＩＤと同一内容のディスクＩＤが記憶部５３に記憶されている場合には、そのままインデックスデータ準備処理を終了するように構成することもできる。
【００８０】
さらに、再生する光ディスク１は、図２〜図４に示したような方法ではなく、例えば、ＣＤで用いられているような、最内周部のエリアにＴＯＣを記録し、その外側のエリアに各コンテンツデータを記録する通常の記録方法や、最内周部のエリアにＴＯＣを記録し、その外側のエリアにインデックステーブル（ＴＯＣと同様の、インデックスデータの数、番号、および各インデックスデータの始まりや終わりの光ディスク１上のアドレスなどを示す情報）を記録し、その外側のエリアに上述した各インデックスデータを記録し、その外側のエリアに各コンテンツデータを記録するインデックスデータ別途記録方法によって、データを記録したものでもよい。
【００８１】
この場合、前者の方法ではＴＯＣを、後者の方法ではＴＯＣまたはインデックステーブルを、それぞれ、上述したセッション情報のような、光ディスク１の記録内容の同一性を判断する情報として利用することができる。
【００８２】
なお、データが記録されたディスク媒体は、光ディスクに限らず、磁気ディスクや光磁気ディスクなどでもよい。
【図面の簡単な説明】
【００８３】
【図１】この発明のディスク再生装置の一例を示す図である。
【図２】図１の光ディスクにおける記録方法の一例を示す図である。
【図３】図２の記録方法の第１の例を示す図である。
【図４】図２の記録方法の第２の例を示す図である。
【図５】図１のディスク再生装置のシステム処理ルーチンの一例の一部を示す図である。
【図６】図１のディスク再生装置のシステム処理ルーチンの一例の一部を示す図である。
【図７】図１のディスク再生装置のインデックスデータ準備処理ルーチンの一例を示す図である。
【図８】この発明のディスク再生システムの一例を示す図である。
【図９】マルチアクセスの場合のアクセス動作を示す図である。
【図１０】マルチアクセスの場合のデータの読み取りおよび再生を示す図である。
【符号の説明】
【００８４】
主要部については図中に全て記述したので、ここでは省略する。
【図１】
2005174395.tif 000003
【図２】
2005174395.tif 000004
【図３】
2005174395.tif 000005
【図４】
2005174395.tif 000006
【図５】
2005174395.tif 000007
【図６】
2005174395.tif 000008
【図７】
2005174395.tif 000009
【図８】
2005174395.tif 000010
【図９】
2005174395.tif 000011
【図１０】
2005174395.tif 000012